(57)【要約】【課題】汚水タンク内の汚水の液位を制御する汚水用液位制御装置に於いて、センサーへの夾雑物等の付着又は絡みつきを防止して、センサーの誤動作を防止すると共に、センサーの清掃を容易に行なえるようにした汚水用液位制御装置を提供する。【解決手段】汚水タンク２内に設けられ、液位を検知するセンサー３と、センサー３による検知に基づき、ポンプ５を制御し、汚水タンク２内の汚水の液位を制御する制御装置本体６とを備えた汚水用液位制御装置２１に於いて、前記センサー３近傍に、センサー３に向けて注水すべく、注水配管２２の先端開口部２３を配設し、先端開口部２３から比較的清澄な水を連続注水又は間欠注水することにより、センサー３近傍を注水する水で連続的に満たし、又は、センサー３を洗浄するように構成した汚水用液位制御装置を提供する。【選択図】図１
0003118049.tif 000002
【実用新案登録請求の範囲】
【請求項１】
汚水タンク内に設けられ、液位を検知するセンサーと、該センサーによる検知に基づき、ポンプを制御し、汚水タンク内の汚水の液位を制御する制御装置本体とを備えた汚水用液位制御装置に於いて、前記センサー近傍に、該センサーに向けて注水すべく、注水配管の先端開口部を配設し、該先端開口部から比較的清澄な水を連続注水又は間欠注水することにより、該センサー近傍を注水する水で連続的に満たし、又は、該センサーを洗浄するように構成したことを特徴とする汚水用液位制御装置。
【請求項２】
上記センサーは、上記汚水タンク内に設置される上端開放の有底筒状格納容器内に格納され、該格納容器は、該格納容器の底部に開穿された１又は複数の開孔部を介して該汚水タンクと連通するように構成されていることを特徴とする請求項１記載の汚水用液位制御装置。
【請求項３】
上記注水配管の先端開口部には、スプレーノズルが設けられていることを特徴とする請求項１又は２に記載の汚水用液位制御装置。
【請求項４】
上記センサーは、上記汚水タンク内の上限高液位を検知する上限センサーと、ポンプを作動させる液位を検知するポンプ作動用センサーと、ポンプを停止させる液位を検知するポンプ停止用センサーと、前記汚水タンク内の下限低液位を検知する下限センサーとが、上方から下方に向かって順次配設されて成り、一方、上記注水配管は下流部が上下に分岐配管された上下部分岐配管を備え、上部分岐配管の先端開口部は、前記上限センサーと、ポンプ作動用センサー近傍に、該上限センサーと、ポンプ作動用センサーに向かって注水できるように配設され、下部分岐配管の先端開口部は、前記ポンプ停止用センサーと、下限センサー近傍に、該ポンプ停止用センサーと、下限センサーに向かって注水できるように配設されていることを特徴とする請求項１乃至３のうちいずれか一に記載の汚水用液位制御装置。
【考案の詳細な説明】
【技術分野】
【０００１】
本考案は、汚水タンク内に設けられ、液位を検知するセンサーと、センサーによる検知に基づき、ポンプを制御し、汚水タンク内の汚水の液位を制御する制御装置本体とを備えた汚水用液位制御装置に於いて、センサーの誤動作を防止した汚水用液位制御装置に関するものである。
【背景技術】
【０００２】
従来の此種汚水用液位制御装置を図４に従って説明する。
図４に於いて、１は、従来の汚水用液位制御装置であり、汚水用液位制御装置１は、汚水タンク２内に設けられ、液位を検知するセンサー３と、センサー３による検知に基づき、ポンプ５を制御し、汚水タンク２内の汚水の液位を制御する制御装置本体６とを備えている。
【０００３】
そして、前記センサー３は、汚水タンク２内に垂下支持され、周面に複数の開孔７ａ，７ａ…が開穿された円筒或いは角筒等から成る両端開放の縦筒状の格納容器７内に収納されている。
【０００４】
又、前記センサー３は、浮子式センサー又は電極棒式センサーで構成され、汚水タンク２内の上限高液位を検知する上限センサー８と、ポンプ５を作動させる液位を検知するポンプ作動用センサー９と、ポンプ５を停止させる液位を検知するためのポンプ停止用センサー１０と、汚水タンク２内の下限低液位を検知する下限センサー１１とが、上方から下方に向かって順次配設されて成る。
【０００５】
更に、前記上限センサー８と、下限センサー１１は、制御装置本体６を介して警報装置１２に接続され、制御装置本体６は、前記上限センサー８と、下限センサー１１の検知信号に基づき、警報装置１２に警報信号を送り、警報装置１２は、警報信号を受信すると警報を発するように構成されている。
尚、図に於いて、１３は、格納容器７の支持金物である。
【０００６】
而して、汚水タンク２内に図示しない配管等から汚水が流入し、汚水タンク２内の前記ポンプ作動用センサー９位置まで汚水が貯留すると、その液位をポンプ作動用センサー９が感知して制御装置本体６に信号を送り、制御装置本体６はポンプ作動用センサー９からの信号に基づき、制御信号をポンプ５へ送り、ポンプ５を作動させる。ポンプ５の作動により汚水は排水配管１４を介して汚水タンク２外に排出される。
【０００７】
万一、汚水タンク２内の液位が更に上昇し、上限センサー８位置まで汚水が貯留すると、その液位を上限センサー８が感知して制御装置本体６に信号を送り、制御装置本体６は上限センサー８からの信号に基づき、警報信号を警報装置１２へ送り、警報装置１２を作動させる。
【０００８】
一方、汚水タンク２内の汚水の液位が、ポンプ停止用センサー１０の位置まで下がると、その液位をポンプ停止用センサー１０が感知して制御装置本体６に信号を送り、制御装置本体６はポンプ停止用センサー１０からの信号に基づき、制御信号をポンプ５へ送り、ポンプ５を停止させる。
【０００９】
万一、汚水タンク２内の液位が更に下降し、下限センサー１１位置まで汚水が下降すると、その液位を下限センサー１１が感知して制御装置本体６に信号を送り、制御装置本体６は下限センサー１１からの信号に基づき、警報信号を警報装置１２へ送り、警報装置１２を作動させる。
【００１０】
又、例えば、特許文献１にも汚水浄化槽にセンサーを取り付ける構造が開示されている。
【特許文献１】特開２００１−７９５７５号公報
【考案の開示】
【考案が解決しようとする課題】
【００１１】
然しながら、従来例の前記汚水用液位制御装置は次のような問題点がある。
（１）汚水中の夾雑物等による誤動作が生じやすく、特に、汚水液位が下がった場合に、夾雑物等がセンサーに絡みつきやすく、それによって、センサーの誤動作が発生し、排水ポンプが停止しない虞があり、又、排水ポンプにも夾雑物等が絡んで、排水ポンプの過熱損傷事故を起こす虞がある。更に、汚水の液位が上がった場合にも、汚水タンクから汚水が溢れる虞がある。
（２）汚水用液位制御装置のセンサーの清掃は人為的に行なっており、その場合、汚れを伴い、作業が面倒である。
又、特許文献１は、前述の問題を解決するものではない。
【００１２】
以上の現状に鑑み、本考案は、汚水タンク内の汚水の液位を制御する汚水用液位制御装置に於いて、センサーへの夾雑物等の付着又は絡みつきを防止して、センサーの誤動作を防止すると共に、センサーの清掃を容易に行なえるようにした汚水用液位制御装置を提供することを目的とする。
【課題を解決するための手段】
【００１３】
上記の課題を解決すべく、本考案は以下の構成を提供する。
請求項１に係る考案は、汚水タンク内に設けられ、液位を検知するセンサーと、該センサーによる検知に基づき、ポンプを制御し、汚水タンク内の汚水の液位を制御する制御装置本体とを備えた汚水用液位制御装置に於いて、前記センサー近傍に、該センサーに向けて注水すべく、注水配管の先端開口部を配設し、該先端開口部から比較的清澄な水を連続注水又は間欠注水することにより、該センサー近傍を注水する水で連続的に満たし、又は、該センサーを洗浄するように構成したことを特徴とする汚水用液位制御装置を提供するものである。
【００１４】
請求項２に係る考案は、上記センサーは、上記汚水タンク内に設置される上端開放の有底筒状格納容器内に格納され、該格納容器は、該格納容器の底部に開穿された１又は複数の開孔部を介して該汚水タンクと連通するように構成されていることを特徴とする請求項１記載の汚水用液位制御装置を提供するものである。
【００１５】
請求項３に係る考案は、上記注水配管の先端開口部には、スプレーノズルが設けられていることを特徴とする請求項１又は２記載の汚水用液位制御装置を提供するものである。
【００１６】
請求項４に係る考案は、上記センサーは、上記汚水タンク内の上限高液位を検知する上限センサーと、ポンプを作動させる液位を検知するポンプ作動用センサーと、ポンプを停止させる液位を検知するポンプ停止用センサーと、前記汚水タンク内の下限低液位を検知する下限センサーとが、上方から下方に向かって順次配設されて成り、一方、上記注水配管は下流部が上下に分岐配管された上下部分岐配管を備え、上部分岐配管の先端開口部は、前記上限センサーと、ポンプ作動用センサー近傍に、該上限センサーと、ポンプ作動用センサーに向かって注水できるように配設され、下部分岐配管の先端開口部は、前記ポンプ停止用センサーと、下限センサー近傍に、該ポンプ停止用センサーと、下限センサーに向かって注水できるように配設されていることを特徴とする請求項１乃至３のうちいずれか一に記載の汚水用液位制御装置を提供するものである。
【考案の効果】
【００１７】
本考案の請求項１記載の考案によれば、汚水タンク内に設けられ、液位を検知するセンサーと、該センサーによる検知に基づき、ポンプを制御し、汚水タンク内の汚水の液位を制御する制御装置本体とを備えた汚水用液位制御装置に於いて、前記センサー近傍に、該センサーに向けて注水すべく、注水配管の先端開口部を配設し、該先端開口部から比較的清澄な水を連続注水又は間欠注水することにより、該センサー近傍を注水する水で連続的に満たし、又は、該センサーを洗浄するように構成した汚水用液位制御装置を提供するので、センサー近傍を注水する水で連続的に満たすことにより、センサーへの夾雑物等の付着又は絡みつきを防止し、センサーの誤動作を防止できると共に、センサーの清掃を容易に行なえる。
【００１８】
請求項２記載の考案によれば、上記センサーは、上記汚水タンク内に設置される上端開放の有底筒状格納容器内に格納され、該格納容器は、該格納容器の底部に開穿された１又は複数の開孔部を介して該汚水タンクと連通するように構成されているので、請求項１記載の考案の効果に加え、格納容器内への夾雑物等の侵入を防止して、センサーの誤動作を防止できる。
【００１９】
請求項３記載の考案によれば、上記注水配管の先端開口部には、スプレーノズルが設けられているので、請求項１又は２記載の考案の効果に加え、スプレーノズルのスプレーによって、センサーを確実に満遍なく注水する水で満たすことにより、センサーの誤動作を更に防止でき、又は、センサーを確実に洗浄できると共に、液表面にスカム等が浮かぶことを防止できる。
【００２０】
請求項４記載の考案によれば、上記センサーは、上記汚水タンク内の上限高液位を検知する上限センサーと、ポンプを作動させる液位を検知するポンプ作動用センサーと、ポンプを停止させる液位を検知するポンプ停止用センサーと、前記汚水タンク内の下限低液位を検知する下限センサーとが、上方から下方に向かって順次配設されて成り、一方、上記注水配管は下流部が上下に分岐配管された上下部分岐配管を備え、上部分岐配管の先端開口部は、前記上限センサーと、ポンプ作動用センサー近傍に、該上限センサーと、ポンプ作動用センサーに向かって注水できるように配設され、下部分岐配管の先端開口部は、前記ポンプ停止用センサーと、下限センサー近傍に、該ポンプ停止用センサーと、下限センサーに向かって注水できるように配設されているので、請求項１乃至３のうちいずれか一に記載の考案の効果に加え、前記上限センサーと、ポンプ作動用センサーとを近くに配設された上部分岐配管の先端開口部から注水する水で確実に満たすことができ、又は、洗浄することが可能となり、更に、前記ポンプ停止用センサーと、下限センサーとを近くに配設された下部分岐配管の先端開口部から注水する水で確実に満たすことができ、又は、洗浄することが可能となり、センサーの確実な誤動作防止が図れる。
【考案を実施するための最良の形態】
【００２１】
以下、実施例を示した図面を参照しつつ本考案の実施の形態を説明する。尚、説明の都合上、従来例と同一構成部分については同一符号を付してその説明を省略する。
【００２２】
図１（ａ）に於いて、２１は、本考案の第１実施例の汚水用液位制御装置であり、汚水用液位制御装置２１は、従来例の汚水用液位制御装置（図４に於いて１）のセンサー３近傍に、センサー３に向けて注水すべく、注水配管２２の先端開口部２３を配設し、先端開口部２３から比較的清澄な水を注水することにより、センサー３近傍を連続的或いは間欠的に注水する水で連続的に満たし、又は、センサー３を洗浄するように構成したものである。
【００２３】
そして、前記注水配管２２は下流部が上下に分岐配管された上下部分岐配管２４，２５を備え、上部分岐配管２４の先端開口部２６は、前記上限センサー８と、ポンプ作動用センサー９近傍に、上限センサー８と、ポンプ作動用センサー９に向かって注水できるように配設され、下部分岐配管２５の先端開口部２７は、前記ポンプ停止用センサー１０と、下限センサー１１近傍に、ポンプ停止用センサー１０と、下限センサー１１に向かって注水できるように配設されている。
【００２４】
尚、第１実施例の汚水用液位制御装置２１のセンサー３、即ち、上限センサー８と、ポンプ作動用センサー９と、ポンプ停止用センサー１０と、下限センサー１１とは浮子式センサーで構成されている。
【００２５】
又、前記汚水用液位制御装置２１は、従来例の汚水用液位制御装置（図４に於いて１）の格納容器（図４に於いて７）に代えて、上端開放の有底筒状格納容器２８が設けられる。
【００２６】
格納容器２８は、筒状の外周部が無孔状態に形成され、格納容器２８の底部２９には同図（ｂ）に示す如く、所定の大きさを有する１又は複数の開孔部３０，３０…が開穿されており、開口部３０，３０…を介して、汚水タンク２と連通するように構成されている。
【００２７】
尚、汚水タンク２は、所定の強度を有するコンクリート、鋼板もしくは樹脂等で形成されている。
【００２８】
而して、前記汚水用液位制御装置２１に於いて、汚水タンク２内に図示しない配管等から汚水が流入し、汚水タンク２内の前記ポンプ作動用センサー９位置まで汚水が貯留すると、その液位をポンプ作動用センサー９が感知して制御装置本体６に信号を送り、制御装置本体６はポンプ作動用センサー９からの信号に基づき、制御信号をポンプ５へ送り、ポンプ５を作動させる。ポンプ５の作動により汚水は排水配管１４を介して汚水タンク２外に排出される。
【００２９】
万一、汚水タンク２内の液位が更に上昇し、上限センサー８位置まで汚水が貯留すると、その液位を上限センサー８が感知して制御装置本体６に信号を送り、制御装置本体６は上限センサー８からの信号に基づき、警報信号を警報装置１２へ送り、警報装置１２を作動させる。
【００３０】
反対に、汚水タンク２内の汚水の液位が、ポンプ停止用センサー１０の位置まで下がると、その液位をポンプ停止用センサー１０が感知して制御装置本体６に信号を送り、制御装置本体６はポンプ停止用センサー１０からの信号に基づき、制御信号をポンプ５へ送り、ポンプ５を停止させる。
【００３１】
万一、汚水タンク２内の液位が更に下降し、下限センサー１１位置まで汚水が下降すると、その液位を下限センサー１１が感知して制御装置本体６に信号を送り、制御装置本体６は下限センサー１１からの信号に基づき、警報装置１２へ警報信号を送り、警報装置１２を作動させる。
【００３２】
次に、前記センサー３近傍への注水作業、及び、前記センサー３の洗浄作業について説明すると、先ず、注水配管２２の上流部に配設されるバルブ３１を開放し、更に、上部分岐配管２４に配設されるバルブ３２を開放して、上部分岐配管２４の先端開口部２６から比較的清澄な水の注水を行なう。
【００３３】
注水は、例えば、手動により連続注水を行なっても良く、前記バルブ３１，３２を自動開閉するように構成して自動により間欠注水を行なっても良い。センサー３近傍への注水を行なう場合は、センサー３近傍に適量の水を連続的に注水し続けるか、又は、間欠注水を連続的に行なう。
【００３４】
又、センサー３を洗浄する場合は、水量を増大し、連続注水、又は、間欠注水を一定時間行なう。尚、洗浄作業は、定期的に行なうのが望ましいが、センサー８〜１１が汚れた時、あるいは、夾雑物等が付着或いは絡まった時に行なっても良い。又、注水する水として、汚水処理された処理水を用いることも可能である
【００３５】
先端開口部２６は、前記上限センサー８と、ポンプ作動用センサー９近傍に、上限センサー８と、ポンプ作動用センサー９に向かって注水できるように配設されているので、近くに配設された先端開口部２６からの注水によって、上限センサー８と、ポンプ作動用センサー９が確実に注水した水で満たされ、或いは洗浄される。
【００３６】
そして、前記上部分岐配管２４に配設されるバルブ３２を閉じて、下部分岐配管２５に配設されるバルブ３３を開放して、下部分岐配管２５の先端開口部２７から注水を行なう。
【００３７】
この場合の注水も、手動により連続注水を行なっても良く、自動により間欠注水を行なっても良い。
【００３８】
先端開口部２７は、前記ポンプ停止用センサー１０と、下限センサー１１近傍に、ポンプ停止用センサー１０と、下限センサー１１に向かって注水できるように配設されているので、近くに配設された先端開口部２７からの注水によって、ポンプ停止用センサー１０と、下限センサー１１とが確実に注水した水で満たされ、或いは洗浄される。
【００３９】
斯くして、前記汚水用液位制御装置２１は、センサー３近傍に、センサー３に向けて注水すべく、注水配管２２の先端開口部２３を配設し、先端開口部２３から比較的清澄な水を注水することにより、センサー３近傍を注水する水で連続的に満たし、夾雑物等がセンサー３へ近づかないようにして、センサー３への夾雑物等の付着或いは絡みつきを防止し、センサー３の誤動作を防止できると共に、センサー３を洗浄することにより、汚水中の夾雑物等のセンサー３への付着や絡み付きを除去し、センサーの誤動作の発生を防止でき、且つ、センサー３の清掃を容易に行なうことができる。又、センサーの誤動作を防止できることにより、汚水液位の低下を防ぎ、ポンプ５への夾雑物等の絡みつきもなくなり、ポンプの過熱損傷事故を防ぐことができる。
【００４０】
又、センサー３は、格納容器２８内に格納され、格納容器２８は、格納容器２８の底部２９に開穿された１又は複数の開孔部３０，３０…を介して汚水タンク２と連通するように構成されているので、格納容器２８内への夾雑物等の侵入を防止して、センサー３の誤動作を防止できる。
【００４１】
更に、前記注水配管２２は下流部が上下に分岐配管された上下部分岐配管２４，２５を備え、上部分岐配管２４の先端開口部２６は、前記上限センサー８と、ポンプ作動用センサー９近傍に、上限センサー８と、ポンプ作動用センサー９に向かって注水できるように配設され、下部分岐配管２５の先端開口部２７は、前記ポンプ停止用センサー１０と、下限センサー１１近傍に、ポンプ停止用センサー１０と、下限センサー１１に向かって注水できるように配設されているので、前記上限センサー８と、ポンプ作動用センサー９とを近くに配設された上部分岐配管２４の先端開口部２６から噴出する注水によって確実に満たすことができ、又は、洗浄することができる。更に、前記ポンプ停止用センサー１０と、下限センサー１１とを近くに配設された下部分岐配管２５の先端開口部２７から噴出させる注水によって確実に満たすことができ、又は、洗浄することができる。
【００４２】
図２に於いて、４１は、本考案の第２実施例の汚水用液位制御装置であり、汚水用液位制御装置４１は、前記本考案の第１実施例の汚水用液位制御装置（図１に於いて２１）の上下部分岐配管２４，２５の先端開口部２６，２７に夫々スプレーノズル４２，４３を設けたものである。
【００４３】
而して、前記汚水用液位制御装置４１に於いては、上下部分岐配管２４，２５の水は夫々スプレーノズル４２，４３からスプレー状に注水される。汚水用液位制御装置４１のその他の液位制御及び洗浄作業については、前記汚水用液位制御装置２１の説明と同様であるので省略する。
【００４４】
斯くして、前記汚水用液位制御装置４１によれば、前記第１実施例の汚水用液位制御装置２１の効果に加え、スプレーノズル４２，４３のスプレーによって、センサー３を確実に満遍なく注水する水で満たすことができ、又は、洗浄することが可能となり、センサー３の誤動作を更に防止でき、且つ、液表面にスカム等が浮かぶことを防止できる。
【００４５】
図３に於いて、５１は、本考案の第３実施例の汚水用液位制御装置であり、汚水用液位制御装置５１は、前記汚水用液位制御装置（図１に於いて２１）の浮子式センサー（図１に於いて３、即ち、上限センサー８、ポンプ作動用センサー９、ポンプ停止用センサー１０及び下限センサー１１）に代えて、電極棒式センサー５２、即ち、電極棒式の上限センサー５３、ポンプ作動用センサー５４、ポンプ停止用センサー５５及び下限センサー５６を設けたものである。
【００４６】
而して、汚水用液位制御装置５１に於いて、電極棒式センサー５２は、電極棒によって液位を検知する。汚水用液位制御装置５１のその他の液位制御及び洗浄作業については、前記汚水用液位制御装置２１の説明と同様であるので省略する。
【００４７】
そして、前記汚水用液位制御装置５１に於いても、前記汚水用液位制御装置２１と同様の効果が期待できると共に、電極棒による正確な液位検知が可能となる。そして、従来、電極棒式のセンサーを用いる場合、夾雑物等の絡みつきで電極棒の短絡が生じ、センサーとしての誤作動が生じる虞があったが、前記汚水用液位制御装置５１に於いては、センサー５２近傍を注水した水で満たすことにより、夾雑物等の付着や絡みつきを防止し、又は、洗浄によって夾雑物等を取り除くことにより、電極棒の短絡を防ぎ、センサーの誤作動を防止することができる。
【図面の簡単な説明】
【００４８】
【図１】（ａ）本考案による第１実施例の汚水用液位制御装置を概略的に示す断面図である。（ｂ）前図（ａ）のＡ−Ａ線断面図である。
【図２】本考案による第２実施例の汚水用液位制御装置を概略的に示す断面図である。
【図３】本考案による第３実施例の汚水用液位制御装置を概略的に示す断面図である。
【図４】従来例の汚水用液位制御装置を概略的に示す断面図である。
【符号の説明】
【００４９】
２  汚水タンク
３  センサー
５  ポンプ
６  制御装置本体
８，５３  上限センサー
９，５４  ポンプ作動用センサー
１０，５５  ポンプ停止用センサー
１１，５６  下限センサー
２１，４１，５１  汚水用液位制御装置
２２  注水配管
２３，２６，２７  先端開口部
２４  上部分岐配管
２５  下部分岐配管
２８  格納容器
２９  底部
３０  開孔部
４２，４３  スプレーノズル
【図１】
0003118049.tif 000003
【図２】
0003118049.tif 000004
【図３】
0003118049.tif 000005
【図４】
0003118049.tif 000006